(57)【要約】    【課題】この発明は、簡単な作業で配管の洗浄と、配管の脱臭および殺菌処理を一層効果的に行なうようにした配管の洗浄方法および装置を提供する。    【解決手段】この発明の配管の洗浄方法および装置では、ノズル７を介し配管１０の内周面１０ａへ向けオゾンを含む洗浄液Ａを噴射させるようにした。  【選択図】  図２
2005131588.tif 000002
【特許請求の範囲】
【請求項１】
洗浄液にオゾンを含ませる工程と、
該オゾンを含む洗浄液をノズルを介し配管の内周面へ向け噴射する工程と
を少なくとも含むことを特徴とする配管の洗浄方法。
【請求項２】
高圧ホースの先端にノズルを設け、該ノズルの先端に自在ガイドを連結し、前記ノズルに穿設された複数の噴射孔から洗浄液を斜め後方に噴射させ、該噴射力によってノズルに推進力を発生させ、前記高圧ホースを回転させつつ該高圧ホースを配管内に送り出し、前記ノズルから噴射する洗浄液によって管内を洗浄する配管の洗浄方法において、
前記洗浄液にオゾンを含ませる工程と、
前記高圧ホースの回転と引き出しに伴って、前記複数の噴射孔のうち、特定の噴射孔のみが常時管内周面と対向するように、前記ノズルを螺旋状に旋回させる工程と
を少なくとも含むことを特徴とする配管の洗浄方法。
【請求項３】
高圧となった洗浄液をノズルを介し配管の内周面へ向け噴射し、該配管内を洗浄するようにした配管の洗浄装置において、
前記洗浄液にオゾンを含ませるオゾン入り洗浄液生成手段を配設したことを特徴とする配管の洗浄装置。
【請求項４】
前記オゾン入り洗浄液生成手段は、洗浄液にオゾンを含ませるオゾン生成機と、該オゾンを含む洗浄液を一時貯留する洗浄液貯留タンクであることを特徴とする請求項３に記載の配管の洗浄装置。
【請求項５】
前記オゾン入り洗浄液生成手段は、洗浄液にオゾンを含ませるオゾン生成機であることを特徴とする請求項３に記載の配管の洗浄装置。
【請求項６】
高圧ホースの先端にノズルを設け、該ノズルの先端に自在ガイドを連結し、前記ノズルに穿設された複数の噴射孔から洗浄液を斜め後方に噴射させ、該噴射力によってノズルに推進力を発生させ、前記高圧ホースを回転させつつ該高圧ホースを配管内に送り出し、前記ノズルから噴射する洗浄液によって管内を洗浄する配管の洗浄装置において、
前記洗浄液にオゾンを含ませるオゾン入り洗浄液生成手段を配設し、  
前記複数の噴射孔の形成位置および各噴射孔から噴射される前記オゾンを含む洗浄液の噴射水量を調整することにより、前記複数の噴射孔のうち、特定の噴射孔のみが常時管内周面と対向するように設定し、前記高圧ホースの回転と引き出しに伴って前記ノズルを管の内周面に沿って螺旋状に旋回させるようにしたことを特徴とする配管の洗浄装置。
【請求項７】
前記オゾン入り洗浄液生成手段は、洗浄液にオゾンを含ませるオゾン生成機と、該オゾンを含む洗浄液を一時貯留する洗浄液貯留タンクであることを特徴とする請求項６に記載の配管の洗浄装置。
【請求項８】
前記オゾン入り洗浄液生成手段は、洗浄液にオゾンを含ませるオゾン生成機であることを特徴とする請求項６に記載の配管の洗浄装置。
【発明の詳細な説明】
【技術分野】
【０００１】
この発明は、マンション、ビルの排水管、あるいは各種製造工場等に配設された配管、即ち筒型の環状体である配管を洗浄する配管の洗浄方法および装置の改良に関する。
【背景技術】
【０００２】
従来から、マンション、ビル、あるいは各種製造工場等に配設された排水管等の配管を洗浄する装置として、各種の洗浄装置が提供されている。
【０００３】
このような洗浄装置の従来例の多くは、本願出願人が先に出願した特願平１１−３５７５６１号に開示されているように、洗浄液を高圧ポンプによって圧縮するとともに、その高圧となった洗浄液を高圧ホースの先端に配設されたノズルから配管の内周面へ向けて噴射し、その噴射圧力で管内に堆積した汚れである固形物を取り除き、これにより配管内を洗浄するようにしている。
【特許文献１】平成１１年特許願第３５７５６１号
【発明の開示】
【発明が解決しようとする課題】
【０００４】
ところで、上述した従来の洗浄装置の如く、単に高圧の洗浄液を配管の内周壁に噴射して配管を洗浄するものでは、水道水により配管内に付着した固形物の汚れを取り除くことはできるが、この水道水からなる洗浄液には配管内の臭気を取り除く脱臭作用、および配管内周壁に付着した細菌を死滅させる殺菌作用はなく、このため洗浄終了後、時間が経過すると配管内に再び細菌の繁殖、および臭気が発生する難点がある。
【０００５】
そこで、これらを解消するため、従来では洗浄後の配管内に、さらに殺菌および脱臭作用のあるオゾン（O3）を含む洗浄液、即ちオゾン水を流し込み、上述した配管の脱臭と殺菌とを行うようにしていたがオゾン水は入り口付近のみ作用するに過ぎなかった。
【０００６】
また配管には、大きく分けて垂直方向へ向かう縦管と、水平方向へ向かう横管とがあるが、上述したオゾン水を含む洗浄液を洗浄後の配管内に単に流し込むと、その配管が縦管の場合は、その内周壁全体にオゾン水が触れて、上述したオゾンによる脱臭および殺菌効果を得ることができるが、横管では、オゾン水を含む洗浄液は配管内の底部を流れるだけで、配管内の上部には触れることが少なく、このためオゾン水による配管の脱臭および殺菌効果を十分果たすことができない難点がある。
【０００７】
また洗浄液による配管内の洗浄後、再び上述したオゾン水を含む洗浄液の流し込み作業を行なわねばならないから、配管の洗浄作業が二度手間となり、その洗浄作業が煩雑である難点もある。
【０００８】
この発明は、上述した事情に鑑み、簡単な作業で配管の洗浄と、配管の脱臭および殺菌処理を一層効果的に行なうようにした配管の洗浄方法および装置を提供することを目的とする。
【課題を解決するための手段】
【０００９】
上述した課題を解決するため、この発明の配管の洗浄方法では、洗浄液にオゾンを含ませる工程と、該オゾンを含む洗浄液を配管の内周面へ向けて噴射させる工程とを少なくとも含んでいる。
【００１０】
またこの発明の配管の洗浄装置では、高圧となった洗浄液をノズルを介し配管の内周面へ向け噴射し、該配管内を洗浄するようにした配管の洗浄装置において、前記洗浄液にオゾンを含ませるオゾン入り洗浄液生成手段を配設するようにしている。
【発明の効果】
【００１１】
上述したこの発明に係る配管の洗浄方法および装置では、配管の内周面へ向けオゾンを含む洗浄液を噴射させるようにしたため、配管内に付着した固形物の除去処理と配管の脱臭および殺菌処理とを同時に行なうことができ、このため配管の脱臭および殺菌処理を含む洗浄作業をより一層簡単に行なうことができる。また、オゾンを含む洗浄液を配管の内周面へ向け噴射させるため、縦管あるいは横管を問わず各種タイプの配管の内周面へ向けオゾンを含む洗浄液を十分付着させることができ、このため簡単な作業でより効果の高い配管の脱臭と殺菌処理とを行なうことができる。
【００１２】
また一定の濃度のオゾンを含む洗浄液を常に配管内の付着物へ直接当てることができ、オゾンの持つ殺菌、消臭能力を配管全体にムラなく発揮することができる。
【発明を実施するための最良の形態】
【００１３】
以下、本願発明に係わる配管の洗浄方法および装置の一実施例を詳述する。
【００１４】
図１は、本願発明に係わる配管の洗浄装置１の全体を示す概念図である。
【００１５】
この配管の洗浄装置１は、水道栓２からホース３を介して送給される水道水（洗浄液）に殺菌および脱臭効果のあるオゾン（O3）を含ませるオゾン入り洗浄液生成手段４と、このオゾン入り洗浄液生成手段４から供給されたオゾンを含む洗浄液（オゾン水）を圧縮する高圧ポンプ５と、この高圧ポンプ５から圧送された、オゾンを含む洗浄液を後述する配管内に案内する所定長の長さを有する高圧ホース６と、この高圧ホース６の先端に配設されたノズル７とから構成されている。
【００１６】
なお、この高圧ホース６は周知の端末機８により、当該高圧ホース６の巻き取りあるいは延出の際に回転駆動されるものである。
【００１７】
なお、この端末機８の詳細構造は本願出願人が先に提出した特願平１１−３６６８８４号を参照されたい。
【００１８】
一方、実施例に記載されたノズル７は、本願出願人が先に提出した平成１１年特許願第３５７５６１号に開示されたノズルと同一の構造をしている。
【００１９】
即ち図２のように、ノズル７の外周面に形成された複数の噴射孔７ａの形成位置および各噴射孔７ａから噴射されるオゾンを含む洗浄液Ａの噴射水量を調整することにより、複数の噴射孔７ａのうち、特定の噴射孔のみが常時配管１０の内周面１０ａと対向するように設定され、前記端末機８による高圧ホース６の回転と引き出しに伴ってノズル７が配管１０の内周面１０ａに沿って矢印Ｂのように螺旋状に旋回するタイプのものである。
【００２０】
なお、このノズル７の詳細構造は本願出願人が先に提出した前記平成１１年特許願第３５７５６１号を参照されたい。
【００２１】
一方、前述したオゾン入り洗浄液生成手段４はオゾン生成機２０と洗浄液貯留タンク２１とから構成されている。
【００２２】
このうち、オゾン生成機２０は、酸素を放電させることにより得られるオゾン（O3）を水道水の洗浄液に含ませる装置である。
【００２３】
そして、このオゾン生成機２０を通過して得られるオゾンが含まれた洗浄液（オゾン入り洗浄液）は、洗浄液貯留タンク２１内に一時貯留され、さらにこの貯留されたオゾン入り洗浄液を再びオゾン生成機２０内に戻して循環させることにより、洗浄液貯留タンク２１内にはオゾン含有濃度の高いオゾン入り洗浄液が得られる。
【００２４】
なお、このオゾン入り洗浄液のオゾン含有濃度は、洗浄目的の配管に発生している臭気および雑菌の程度に応じて調整すればよい。
【００２５】
なお、図２で符号３０はノズル７の先端に配設され、配管１０内におけるノズル７の進行方向をガイドする自在ガイドである。
【００２６】
次に、上述した配管の洗浄装置１の作用を説明する。
【００２７】
まず、この配管の洗浄装置１では、オゾン入り洗浄液生成手段４を駆動して、当該オゾン入り洗浄液生成手段４の洗浄液貯留タンク２１内に目的のオゾン含有濃度に達したオゾン入り洗浄液を一時貯留する。
【００２８】
次に、高圧ポンプ５を駆動し、オゾン入り洗浄液を端末機８を介して高圧ホース６内に圧送する。
【００２９】
このように、高圧ホース６内にオゾン入り洗浄液が圧送されると、そのオゾン入り洗浄液Ａは、図２で示すように、ノズル７の周面に形成された噴射孔７ａから、配管１０の内周面１０ａに向けて噴射される。
【００３０】
一方、この時点で端末機８を駆動し、高圧ホース６を回転させ、かつ高圧ホース６を配管１０の進行方向に沿って移動させると、図２で示すようにノズル７が配管１０の内周面１０ａに沿って矢印Ｂのように螺旋状に旋回し、オゾンを含む洗浄液Ａを配管１０の内周面に沿って噴射しつつ移動する。
【００３１】
このように、オゾンを含む洗浄液Ａを配管１０の内周面に沿って噴射しつつ前後に移動させると、配管１０内はその上下面を含めてオゾンを含む洗浄液Ａが付着し、配管１０内に付着した固形物の除去処理と配管１０内の脱臭および殺菌処理とを同時に行なうことができ、このため縦管および横管を含む各種形状の配管１０の脱臭および殺菌処理を含む洗浄作業をより一層簡単かつ効果的に行なうことができることとなる。
【００３２】
なお、上記実施例の洗浄装置では、本願出願人が先に提出した平成１１年特許願第３５７５６１号に記載されたノズル７を使用し、かつ高圧ホース６を回転させる端末機８を使用したものについて詳述したが、この発明は上記実施例に限定されることなく、図１と同一部分を同一符号で示す図３のように、端末機８を使用することなく、高圧ポンプ５に直接高圧ホース６を連結し、その先端に周面に噴射孔が穿設された周知の噴射ノズル４０を使用しても良い。
【００３３】
この場合は、図４で示すように、端末機がないので高圧ホース６は回転しないが、オペレータの操作によりこの高圧ホース６を引張させ、また回転させる作業を行なうことにより噴射孔４０ａを目的の配管１０の内周面へ向ければ、オゾンを含む洗浄液Ａを配管１０の内周面に沿って噴射させることができる。
【００３４】
したがって、この実施例の場合も配管１０内はその上下面を含めてオゾンを含む洗浄液Ａが付着するので、このため縦管および横管を含む各種形状の配管１０内に付着した固形物の除去処理と配管１０内の脱臭および殺菌処理とを同時に行なうことができ、このため配管１０の脱臭および殺菌処理を含む洗浄作業をより一層簡単かつ効果的に行なうことができることとなる。
【００３５】
また、さらに上記各実施例では、オゾン入り洗浄液生成手段４をオゾン生成機２０と洗浄液貯留タンク２１とから構成するようにしたが、この発明は上記実施例に限定されることなくオゾン入り洗浄液生成手段４をオゾン生成機２０のみで構成し、このオゾン生成機２０により水道水にオゾンを含ませた洗浄液を直ちに高圧ポンプ５に案内するようにしても勿論かまわない。  
【産業上の利用可能性】
【００３６】
以上説明したように、この発明は、簡単な作業で配管の洗浄と、配管の脱臭および殺菌処理を一層効果的に行なう配管の洗浄方法および装置に適している。  
【図面の簡単な説明】
【００３７】
【図１】図１は、本願発明に係わる配管の洗浄装置の全体を示す概念図。
【図２】図２は本願発明に係わる洗浄装置の作用を示す要部破断面図。
【図３】図３は本願発明に係わる洗浄装置の他の実施例全体を示す概念図。
【図４】図４は他の実施例の作用を示す要部破断面図。
【符号の説明】
【００３８】
１…配管の洗浄装置
４…オゾン入り洗浄液生成手段
６…高圧ホース
７，４０…ノズル
７ａ，４０ａ…噴射孔
１０…配管
１０ａ…内周面
２０…オゾン生成機
２１…洗浄液貯留タンク
３０…自在ガイド
Ａ…オゾンを含む洗浄液
【図１】
2005131588.tif 000003
【図２】
2005131588.tif 000004
【図３】
2005131588.tif 000005
【図４】
2005131588.tif 000006